(57)【要約】  縦形ローラミル内で粉砕材料を粉砕する本発明にかかる方法では、粉砕材料を少なくとも１の粉砕ローラの上流に供給して、粉砕床を形成して、粉砕テーブルと前記少なくとも１の粉砕ローラとの間で粉砕する方法において、形成される前記粉砕床が、供給装置によって、前記粉砕ローラの幅にわたって異なる高さに設定可能であることを特徴とする。【選択図】図１
2015522413.tif 000002
【特許請求の範囲】
【請求項１】
縦形ローラミル内の粉砕材料（５）の粉砕方法であって、前記粉砕材料（５）を少なくとも１の粉砕ローラ（２）の上流に供給して、粉砕床（５０）を形成して、粉砕テーブル（１）と前記少なくとも１の粉砕ローラ（２）との間で粉砕する方法において、
形成される前記粉砕床（５０）が、供給装置によって、粉砕ローラ（２）の幅（ｂ）にわたって異なる高さに設定されることを特徴とする粉砕方法。
【請求項２】
請求項１に記載の方法において、前記粉砕床（５０）の高さが、前記粉砕テーブルのへり（１０）に向かって、連続的または段階的に変化するように設定されることを特徴とする方法。
【請求項３】
請求項１に記載の方法において、粉砕された前記粉砕材料（５）が、前記粉砕ローラ（２）の下流で前記粉砕テーブル（１）から放出されることを特徴とする方法。
【請求項４】
請求項１に記載の方法において、前記粉砕床（５０）の幅が、前記供給装置（４）により制限され、前記粉砕ローラ（２）の幅（ｂ）に適応していることを特徴とする方法。
【請求項５】
請求項１に記載の方法において、前記粉砕材料（５）が、前記粉砕テーブル（１）の中央に供給され、案内装置を介して前記供給装置（４）に案内されることを特徴とする方法。
【請求項６】
請求項１に記載の方法において、前記粉砕床（５０）の高さが、粉砕時に、少なくとも１の動作パラメータに相関させて、前記粉砕ローラ（２）の幅にわたって連続して再調整されることを特徴とする方法。
【請求項７】
粉砕材料（５）の粉砕用の縦形ローラミルにおいて、粉砕テーブル（１）と、当該粉砕テーブルと協働する少なくとも１の粉砕ローラ（２）と、当該少なくとも１の粉砕ローラ（２）に粉砕材料（５）を供給するための供給装置（４）と、同時に形成される粉砕床（５０）とを有し、
前記供給装置（４）は、形成される前記粉砕床（５０）を、前記粉砕ローラ（２）の幅にわたって、異なる高さに選択的に設定できるよう設計されていることを特徴とする縦形ローラミル。
【請求項８】
請求項７に記載の縦形ローラミルにおいて、前記供給装置（４）が、前記粉砕ローラ（２）の幅（ｂ）にわたって互いに隣接して配置された、少なくとも１または２の、好適には３のスライド部（４、４４、４５；４９）を有し、これらは前記粉砕テーブル（１）から同一または異なる距離に設定可能であることを特徴とする縦形ローラミル。
【請求項９】
請求項７に記載の縦形ローラミルにおいて、前記供給装置（４）が供給シュート（４０）として設計されていることを特徴とする縦形ローラミル。
【請求項１０】
請求項７に記載の縦形ローラミルにおいて、前記供給装置（４）が、前記粉砕床（５０）の横方向の両側の境界（４０１）を有しており、これの間の距離は前記粉砕ローラ（２）の幅（ｂ）とほぼ一致することを特徴とする縦形ローラミル。
【請求項１１】
請求項７に記載の縦形ローラミルにおいて、前記粉砕テーブル（１）の中央に向いている前記横方向の境界が、粉砕材料の供給口（４１）を有することを特徴とする縦形ローラミル。
【請求項１２】
請求項７に記載の縦形ローラミルにおいて、粉砕された前記粉砕材料（５）を前記粉砕テーブル（１）から放出するための剥離装置（７）が、前記粉砕ローラ（２）の下流に設けられていることを特徴とする縦形ローラミル。
【請求項１３】
請求項７に記載の縦形ローラミルにおいて、当該縦形ローラ粉砕ミルが、空気スイープ式ミル、またはエッジミルとして設計されていることを特徴とする縦形ローラミル。
【請求項１４】
請求項７に記載の縦形ローラミルにおいて、当該縦形ローラミルの動作パラメータを検知する少なくとも１の測定装置（９）と、制御および調整装置（８）とを具え、当該制御および調整装置（８）は、前記動作パラメータの相関として前記粉砕床（５０）の高さを設定するために、前記測定装置（９）と前記供給装置（４）とに接続されていることを特徴とする縦形ローラミル。
【発明の詳細な説明】
【技術分野】
【０００１】
本発明は、縦形ローラミル内の粉砕材料の粉砕方法および縦形ローラミルに関し、粉砕材料は、粉砕床を形成し、粉砕テーブルと少なくとも１の粉砕ローラとの間で粉砕されるように、少なくとも１の粉砕ローラの上流に供給される。
【背景技術】
【０００２】
縦形ローラミルでは、粉砕テーブルへの材料の分配は多くの要因（粉砕材料、回転速度、粉砕床の高さ、供給点など）に依存し、これらは時には互いに影響を与える。
【０００３】
ＤＤ１０６９５３Ａ１およびＤＥ４４４３０９９Ａ１は、縦形ローラミルでの粉砕材料の粉砕方法を開示しており、これは粉砕床を形成し、粉砕テーブルと少なくとも１の粉砕ローラとの間で粉砕されるように、粉砕材料が少なくとも１の粉砕ローラに供給されている。粉砕ローラの形状により、粉砕ローラの幅にわたって高さが異なる粉砕床が形成されている。
【０００４】
ＤＤ２２５６３４Ａ１は供給装置を有するローラミルを開示し、これにより、粉砕床をできるだけ均等に形成することが可能となる。
【０００５】
ＤＥ１９６５１１０３Ａ１は、粉砕床に空気が含まれる問題に取り組み、粉砕テーブル上の粉砕材料を脱気するために、粉砕材料を層で粉砕テーブルに供給することを提案しており、材料の細粒が本質的に下側の第１の粉砕材料の層を形成し、材料の粗粒が本質的に、粉砕床でこの上に横たわる第２の粉砕材料の層を形成する。第１の変更例によると、粉砕材料は中心に供給されるが、第２の例示的な実施例では、各粉砕ローラの上流で別の供給が行われている。
【０００６】
粉砕材料の粉砕ローラへの引き込み状況を改善し、より効率的な粉砕を確保するため、ＤＥ１９７２３１００Ａ１は、共通搬送アームに支持され、粉砕テーブルの上方に配置された材料案内要素、または材料案内羽根を提案し、この場合、これらの高さについて、および／または材料案内の方向について設定することができる。
【０００７】
それでも、これらの既知の手段にもかかわらず、粉砕作動時に振動が繰り返し発生し、これは高い粉砕床または水の注入より低く抑えられるが、粉砕の効率性を犠牲にする。
【０００８】
したがって、本発明が基礎とする目的は、縦形ローラミル内の粉砕材料の粉砕方法を改善し、この目的のために必要な縦形ローラミルを改善することで、その結果さらに振動を低減し、粉砕の効率性を上げることである。
【０００９】
この目的は、本発明の請求項１および７の特徴により達成される。
【発明の概要】
【００１０】
縦形ローラミル内で粉砕材料を粉砕する本発明にかかる方法では、粉砕材料を少なくとも１の粉砕ローラの上流で供給して、粉砕床を形成して、粉砕テーブルと前記少なくとも１の粉砕ローラとの間で粉砕する方法において、形成される前記粉砕床が、供給装置によって、前記粉砕ローラの幅にわたって異なる高さに設定されることを特徴とする。
【００１１】
粉砕材料の粉砕のための本発明にかかる縦形ローラは、粉砕テーブルと、当該粉砕テーブルと協働する少なくとも１の粉砕ローラと、また当該少なくとも１の粉砕ローラに粉砕材料を供給するための供給装置と、同時に形成される粉砕床とを有する。前記供給装置は、形成される前記粉砕床を前記粉砕ローラの幅にわたって、異なる高さに選択的に設定できるように設計されている。
【００１２】
従来の縦形ローラミルの作動では、粉砕材料を粉砕ローラにできるだけ均一な高さで送るような試みがなされている。例えばＤＥ１９７２３１００Ａ１から知られているように、材料案内装置の補助により、これは縦形ローラミルが異なる方法で作動するときでも、比較的確実に行われる。本発明にかかる供給装置によって、粉砕床の高さを粉砕ローラの幅にわたって均一にするだけでなく、例えば、粉砕床の高さを粉砕テーブルのへりに向かって上昇または下降させることも可能である。粉砕床の高さを粉砕テーブルのへりに向かって上昇させることは、特に縦形ローラミルを最大処理量で作動させるときに好都合である。粉砕テーブルの円周速度は、粉砕テーブルのへりに向かって増すため、粉砕動作もここで最大となる。対照的に、粉砕ローラが既に部分的に摩耗している場合は、粉砕床の高さを粉砕テーブルのへりに向かって下降させ、半径方向の内側領域が最初に用いられるときに、効率性を増すことができる。しかしながら、縦形ローラミルを最小のエネルギー消費量で作動させる場合は、粉砕床の高さは粉砕ローラの幅にわたって均一に設定される。粉砕床はこのように、その高さを、各ケースにおける所望の動作モードで選択する手法で最適化され、それぞれの動作モードにおいて、振動が低減され、粉砕効率が増す結果となる。
【００１３】
本発明のさらなる改良例は、従属項の主題となる。
【００１４】
前記供給装置は好適には、前記粉砕床の高さが、前記粉砕テーブルのへりに向かって、連続的または段階的に変化するように設計されている。さらに、前記粉砕床の幅が前記供給装置によって制限され、また前記粉砕ローラの幅に適合されて供給がなされてもよい。そのうえ粉砕材料は、選択的に、前記粉砕テーブルの中央に供給されて、案内装置を介して前記供給装置に案内されるか、または各粉砕ローラに配置された供給装置に直接供給されてもよい。
【００１５】
本発明のさらなる改良例によると、前記粉砕床の高さは、例えば静音運転や電力消費などの、少なくとも１の動作パラメータに相関させて、粉砕時に前記粉砕ローラの幅にわたって連続して再調整される。この目的のため、適切な制御および調整装置が設けられ、これは動作パラメータを検知するための少なくとも１の測定装置と、前記供給装置とに接続されている。
【００１６】
前記供給装置は、前記粉砕ローラの幅にわたって互いに隣接して配置された、好適には１または２の、最も好適には３以上のスライド部により形成され、これらは前記粉砕テーブルから同一または異なる距離に設定することができる。
【００１７】
本発明の例示的な実施例によると、前記供給装置は、前記粉砕床の横方向の両側の境界を有しており、これの間の距離は前記粉砕ローラの幅とほぼ一致する。この場合、粉砕テーブルの中央に向いている前記横方向の境界は、粉砕材料の供給口を有してもよい。
【００１８】
さらに、前記粉砕ローラの下流に、前記粉砕テーブルから床面の粉砕材料を引き剥がすための剥離装置が設けられる。縦形ローラミルとして特に考えられるのは、空気スイープ式ミル、またはエッジミルである。
【００１９】
本発明のさらなる利点と改良例は、以下の説明と図面によって下記により具体的に説明される。
【図面の簡単な説明】
【００２０】
【図１】図１は、第１の例示的な実施例にかかる縦形ローラミルの上面の概略図である。
【図２】図２は、図１の縦形ローラミルの側面図である。
【図３】図３は、第２の例示的な実施例にかかる縦形ローラミルの上面の概略図である。
【図４】図４は、図３の縦形ローラミルの側面図である。
【図５】図５は、３つのスライド部を有する供給装置の概略図であり、スライド部は粉砕床の高さが均一となるように設定されている。
【図６】図６は、３つのスライド部を有する供給装置の概略図であり、スライド部は、粉砕床の高さが粉砕リムに向かって上昇するように設定されている。
【図７】図７は、３つのスライド部を有する供給装置の概略図であり、スライド部は、粉砕床の高さが粉砕リムに向かって下降するように設定されている。
【図８】図８は、１のスライド部を有する供給装置の概略図であり、スライド部は、粉砕床の高さが粉砕リムに向かって下降するように設定されている。
【図９】図９は、粉砕ローラの上流に形成された材料の波の概略図である。
【図１０】図１０は、供給装置によって高さを最適化された粉砕床の概略図である。
【発明を実施するための形態】
【００２１】
図１および２に示す縦形ローラミルは、粉砕テーブル１と複数の粉砕ローラ２とを有する。この場合、選択的に、粉砕テーブルおよび／または粉砕ローラを駆動することができる。図示された例示的な実施例では、例えば１つの粉砕ローラ２用の駆動部３が示されている。しかしながら、縦形ローラミルが１の粉砕テーブル駆動部のみを有しない限りは、通常は少なくとも２つの粉砕ローラ、好適にはすべての粉砕ローラが駆動される。
【００２２】
図示された例示的な実施例では、各粉砕ローラ２に供給装置４が設けられ、これにより、粉砕材料５が粉砕ローラ２に供給され、粉砕床５０が同時に形成される。前記供給装置は本質的に、材料供給口４１と横方向の境界４０１、４０２とを有するシャフト４０からなり、この横方向の境界は、粉砕床５０の幅を制限し、その間の長さは粉砕ローラ２の幅ｂと本質的に一致する。さらに、３つのスライド部４３、４４、４５が設けられ、これらは粉砕ローラの幅にわたって互いに隣接して配置され、粉砕テーブル１から同一または異なる距離に設定することができ、これにより出口４２が規定される。
【００２３】
図１にかかるスライド部４３、４４、４５の配置は、図６の正面図で再び示されている。スライド部４３、４４、４５は、例えば油圧シリンダによる適切な駆動部４６、４７、４８によって、個別にまたはグループとして個々を設定することができる。図６によると、形成される粉砕床５０の高さは、粉砕テーブルのへり１０に向かって段階的に上昇するように、スライド部によって設定される。スライド部のこのような配置は、とりわけ縦形ローラミルが最大処理量で作動しているときに有益である。
【００２４】
図７は、粉砕ベッド５０の高さが内側に上昇している状態のスライド部４３−４５の配置を示す。このような配置は、粉砕ローラ２の走行面の内側の領域が、比較的広い範囲で既に摩耗しているときに好都合である。
【００２５】
図５では、スライド部４３、４４、４５は粉砕テーブルから同一の距離に設定されている。粉砕床の均一の高さをこのようにして設定すると、これにより縦形ローラミルが、エネルギーの点で有益である動作モードを有することが可能となる。図５−７の例に加えて、スライド部はまた、粉砕床の高さを、スライド部の中央の内側にまたは中央から外側に向かって、上昇または下降するように設定することもできる。スライド部のこのような配置は、とりわけ、粉砕ローラの軸方向の負荷と、これにより生じる軸方向の振動を低減させるときに有益である。
【００２６】
３つの個別のスライド部を互いに隣接して配置させる代わりに、もちろん、２つのまたは３より多いスライド部を設けてもよい。さらに、図８は、単一のスライド部４９を有する例示的な実施例を示し、このスライド部は、粉砕ローラの全体の幅ｂにわたって延在しており、この下縁４９０は、形成される粉砕床５０にしたがって、粉砕テーブル１に対して直線または斜めに配向することができる。これにより、高さは、粉砕ローラの幅にわたって連続して増加または減少させることができる。
【００２７】
しかしながら、スライド部４３、４４、４５、および４９は、粉砕ローラの幅にわたって粉砕床の高さを設定するタスクだけでなく、十分に足りる粉砕材料のみを粉砕ローラ２に供給して、図９に示すような粉砕ローラ２の上流に形成される材料の波５１を生じさせず、その代わりに図１０に示すような状態にすることを確実にするタスクも有する。さもなくば、材料の波５１の形成は、かなりの振動をもたらし、静音運転を損なうことになる。
【００２８】
各粉砕ローラ２の下流に、粉砕テーブル１から粉砕された粉砕材料５を放出するための剥離装置７が設けられている。
【００２９】
しかしながら、本発明の範囲内で、図３および４にかかる例示的な実施例に示すように、粉砕材料５は中央の供給装置６を介して粉砕テーブル１に供給されることも考えられる。ここでもまた、各粉砕ローラ２には供給装置４が設けてあり、これは、互いに隣接して配置された複数のスライド部４３、４４、４５、または単一のスライド部４９を有し、これらのスライド部により、粉砕床５０の高さを粉砕ローラの幅にわたって設定することができる。ここでもまた、供給装置は一種のシャフト４０と、材料導入口４１とを有するが、この材料導入口はシャフトの上縁ではなく、その代わりに粉砕テーブルの中央を向いた横方向の境界４０１に設けられている。供給装置６を介して粉砕テーブル１の中央に供給された粉砕材料５は、回転する粉砕テーブル１の遠心力の作用の結果として、材料導入口４１に到達し、これらを介して供給装置４の中へと通過する。
【００３０】
粉砕ローラ２により粉砕された粉砕材料５は、今度は剥離装置７によって、粉砕テーブルのへり１０を介して粉砕ローラ２の下流で引き剥がされる。この剥離装置は、他方の側が、粉砕材料５を供給装置４の導入口４１に案内するための案内装置として作用するように、好都合に配置されている。
【００３１】
本縦形ローラミルは、例えば、空気スイープ式ミル、またはエッジミルとして設計されてもよい。エッジミルが考えられる場合は、粉砕済みの粉砕材料５は、粉砕テーブルのへり１０を介して下に落とされ、適切に引き出される。空気スイープ式ミルの場合は、空気流が下から粉砕テーブルのへり１０を通過して上方に流れ、同時に粉砕された粉砕材料を拾い上げて、これを空気流とともに主に粉砕テーブルの上方に配置された分離器の中に渡す。空気スイープ式ミルが熱気流で動作するときは、粉砕に加えて、粉砕材料の乾燥も同時に行うことができる。エッジミルと空気スイープ式ミルは先行技術から十分に知られているため、さらなる詳細は扱わない。
【００３２】
適切な制御および調整装置８を介して、スライド部４３−４５の駆動部４６−４８は、粉砕動作時においても作動させることができる。縦形ローラミルの動作モードは、このようにして選択的な方法で、粉砕床の高さを粉砕ローラ２の幅にわたって変化させることにより、少なくとも１の動作パラメータの相関として影響を与えることができる。この目的のため、制御および調整装置８は、適切な測定装置９に接続されている。この測定装置は、例えば次の動作パラメータ：静音運転、粉砕ローラおよび／または粉砕テーブルの駆動の電力消費など、のうちの少なくとも１つを検知することができる。
【００３３】
スライド部の補助により粉砕床５０の安定性は著しく増加し、粉砕ローラの幅にわたる粉砕床の高さは、動作モードと、粉砕材料と、粉砕ローラの摩耗状態とに適応させることができる。さらなる粉砕床の安定性の増加は、図９に示すような材料の波５１が回避されることにより生じる。そのうえ、粉砕材料は、粉砕ローラの幅にわたって最適に分配されるように、スライド部によって高度に選択的な方法で供給される。これは、静音運転と、粉砕の効率性と、さらに材料床の安定化とにプラスの効果を有する。
【図１】
2015522413.tif 000003
【図２】
2015522413.tif 000004
【図３】
2015522413.tif 000005
【図４】
2015522413.tif 000006
【図５】
2015522413.tif 000007
【図６】
2015522413.tif 000008
【図７】
2015522413.tif 000009
【図８】
2015522413.tif 000010
【図９】
2015522413.tif 000011
【図１０】
2015522413.tif 000012
【国際調査報告】
2015522413.tif 000013
2015522413.tif 000014
2015522413.tif 000015
2015522413.tif 000016
2015522413.tif 000017
2015522413.tif 000018